(57)【要約】【課題】簡単な操作で省電力化を実現させながら、必要なときだけ充電コネクタと移動機の差込口とを適正に照明できる照明部を備えた照明機能付き充電アダプタを提供する。【解決手段】充電アダプタ１１のコネクタ１４を移動機２１の差込口２３に差し込もうとすると、ホール素子１８が移動機２１に搭載された磁石２２の磁場を検出する。さらに、照度センサ１９が移動機２１の環境が低照度であると検出すると、照度センサ１９からスイッチ１３へ信号が送信されてスイッチ１３がＯＮになる。一方、ＡＣ／ＤＣコンバータ１７は、ＡＣ１００ｖのコンセントより入力した交流電圧を直流電圧に変換し、それぞれの電力をコネクタ部１４と照明用電源１６へ供給する。これにより、コネクタ１４が差込口２３に差し込まれるときは、照明用電源１６からスイッチ１３を経由して照明部１２へ電力が供給されるので、照明部１２は差込口２３の近傍を照明する。【選択図】図４
2010283996.tif 000002
【特許請求の範囲】
【請求項１】
照明機能を備え、電子機器を充電するための照明機能付き充電アダプタであって、
ＯＮ／ＯＦＦ動作を行うスイッチと、
該スイッチのＯＮ／ＯＦＦ動作に連動して点灯／消灯を行う照明部とを搭載したことを特徴とする照明機能付き充電アダプタ。
【請求項２】
照明機能を備え、電子機器を充電するための照明機能付き充電アダプタであって、
ボタンの押下によりＯＮとなり、押下解除によりＯＦＦに復帰するプッシュスイッチと、
前記プッシュスイッチのＯＮ／ＯＦＦ動作に連動して点灯／消灯を行う照明部とを搭載したことを特徴とする照明機能付き充電アダプタ。
【請求項３】
交流電圧を直流電圧に変換するＡＣ／ＤＣ変換部を備え、
前記ＡＣ／ＤＣ変換部は、前記電子機器を充電するための第１の電源と前記照明部に電力を供給するための第２の電源とを個別に生成することを特徴とする請求項２記載の照明機能付き充電アダプタ。
【請求項４】
照明機能を備え、電子機器を充電するための照明機能付き充電アダプタであって、
前記電子機器に搭載された磁石又は強磁性体の磁場を検出する磁気センサと、
前記電子機器の環境下の照度を検出する照度センサと、
前記磁気センサが検出した磁場のレベルと照度センサが検出した照度のレベルとに基づいてＯＮ／ＯＦＦ動作を行うスイッチと、
前記スイッチのＯＮ／ＯＦＦ動作に連動して点灯／消灯を行う照明部とを搭載したことを特徴とする照明機能付き充電アダプタ。
【請求項５】
前記スイッチは、前記磁気センサが一定レベル以上の磁場を検出し、かつ、前記照度センサが一定レベル以下の低照度を検出したときにＯＮとなり、
前記照明部は、前記スイッチがＯＮとなったときに点灯することを特徴とする請求項４記載の照明機能付き充電アダプタ。
【請求項６】
交流電圧を直流電圧に変換するＡＣ／ＤＣ変換部を備え、
前記ＡＣ／ＤＣ変換部は、前記電子機器を充電するための第１の電源と前記照明部に電力を供給するための第２の電源とを個別に生成することを特徴とする請求項５記載の照明機能付き充電アダプタ。
【請求項７】
外部からの接触圧力の有無でＯＮ／ＯＦＦ動作を行うマイクロスイッチをさらに備え、
前記マイクロスイッチは、前記充電アダプタと前記電子機器との接触圧力でＯＦＦとなり、前記照明部に電力を供給するための第２の電源を遮断することを特徴とする請求項６記載の照明機能付き充電アダプタ。
【請求項８】
前記磁気センサはホール素子であることを特徴とする請求項４乃至７の何れか一に記載の照明機能付き充電アダプタ。
【請求項９】
照明機能を備え、電子機器を充電するための照明機能付き充電アダプタの接続方法であって、
スイッチがＯＮ／ＯＦＦ動作を行うステップと、照明部が、前記スイッチのＯＮ／ＯＦＦ動作に連動して点灯／消灯を行うステップとを有してなることを特徴とする照明機能付き充電アダプタの照明方法。
【請求項１０】
照明機能を備え、電子機器を充電するための照明機能付き充電アダプタの接続方法であって、
前記照明機能付き充電アダプタの一端のプラグをＡＣコンセントに接続する第１のステップと、
前記照明機能付き充電アダプタに搭載されたプッシュスイッチを押下してＯＮにし、その照明機能付き充電アダプタに搭載された照明部を点灯させる第２のステップと、
前記照明部の点灯による照度の環境下で、前記照明機能付き充電アダプタのコネクタ部を前記電子機器の差込口へ挿入する第３のステップと、
前記コネクタ部が前記差込口へ挿入された後に、前記プッシュスイッチを押下解除してＯＦＦに復帰させ、前記照明部を消灯させる第４のステップとを含むことを特徴とする照明機能付き充電アダプタの照明方法。
【請求項１１】
照明機能を備え、電子機器を充電するための照明機能付き充電アダプタの接続方法であって、
前記照明機能付き充電アダプタに搭載された磁気センサが、前記電子機器に搭載された磁石又は強磁性体の磁場を検出する第１のステップと、
前記照明機能付き充電アダプタに搭載された照度センサが、前記電子機器の環境下の照度を検出する第２のステップと、
前記照明機能付き充電アダプタに搭載されたスイッチが、前記磁気センサの検出した磁場のレベルと照度センサの検出した照度のレベルとに基づいてＯＮ／ＯＦＦ動作を行う第３のステップと、
前記照明機能付き充電アダプタに搭載された照明部が、前記スイッチのＯＮ／ＯＦＦ動作に連動して点灯／消灯を行う第４のステップとを含むことを特徴とする照明機能付き充電アダプタの照明方法。
【請求項１２】
前記第３のステップにおいて、前記スイッチは、前記磁気センサが一定レベル以上の磁場を検出し、かつ、照度センサが一定レベル以下の低照度を検出したときにＯＮとなり、
前記第４のステップにおいて、前記照明部は、前記スイッチがＯＮとなったときに点灯することを特徴とする請求項１１記載の照明機能付き充電アダプタの照明方法。
【請求項１３】
前記照明機能付き充電アダプタは、外部からの接触圧力の有無でＯＮ／ＯＦＦ動作を行うマイクロスイッチをさらに備え、
前記充電アダプタが前記電子機器に接続された後に、前記充電アダプタと前記電子機器との接触圧力で前記マイクロスイッチがＯＦＦとなり、前記照明部を消灯させる第５のステップをさらに含むことを特徴とする請求項１１又は１２記載の照明機能付き充電アダプタの照明方法。
【発明の詳細な説明】
【技術分野】
【０００１】
この発明は、照明部を備えて電子機器の充電を行う照明機能付き充電アダプタ等に関し、特に、携帯電話機等の移動機の電源を充電するための照明機能付き充電アダプタ、及び照明機能付き充電アダプタの接続方法に関する。
【背景技術】
【０００２】
携帯電話機やＰＤＡ（Personal Digital Assistance）等の携帯用の移動機は適当な間隔で充電しながら使用される。このとき、充電アダプタのコネクタ部を移動機のコネクタ受け口（差込口）に挿入して充電を行う。この場合、やむを得ない事情等により、低照度な環境の元で充電アダプタのコネクタ部を移動機の差込口へ差し込んで充電しなければならないことがある。そのような低照度な環境下で差込操作を行う場合、移動機の差込口が見え難いために充電アダプタのコネクタ部を移動機に誤挿入してしまい、移動機の差込口や充電アダプタのコネクタ部を破損させてしまうおそれがある。
【０００３】
そこで、このような不具合を解消するために、照明機能を備えた携帯電話用のカーチャージャの技術が開示されている（例えば、特許文献１参照）。この技術によれば、まず、充電電源を供給するためのパワー接続プラグを車両のパワーソケットに接続する。すると、パワーソケットからパワー接続プラグへ充電電源と照明用電源とが独立して供給される状態となる。これによって、パワー接続プラグからケーブルで引き出された充電コネクタを携帯電話機の差込口に差し込む際に、充電コネクタに付設された照明灯が点灯状態となる。このようにして、充電コネクタを携帯電話機の差込口に差し込む前から、充電コネクタと携帯電話機の差込口とが適度に照明されるので、充電コネクタと携帯電話機の差込口との誤接続を防止することができる。また、充電コネクタと携帯電話機の差込口とが正常に接続された後は、充電コネクタに付設されたスイッチを手動でＯＦＦにすることによって照明灯を消灯状態にすることができる。
【先行技術文献】
【特許文献】
【０００４】
【特許文献１】特開２００５−０５７９７５号公報
【発明の概要】
【発明が解決しようとする課題】
【０００５】
すなわち、特許文献１に開示された技術は、充電用のパワー接続プラグを車両のパワーソケットに接続すると、パワー接続プラグからケーブルで引き出された充電コネクタの照明灯は点灯状態となる。そのため、充電コネクタと携帯電話機の差込口との照明は事前に適正に行われるため、目視で確認しながら充電コネクタの差込操作を正常に行うことができる。しかしながら、パワー接続プラグを車両のパワーソケットに接続した後は、充電コネクタを携帯電話機の差込口へ直ちに挿入しない場合でも照明灯は点灯したままとなっているので、その間は無駄な電力を消費していることになる。
【０００６】
言い換えると、充電コネクタと携帯電話機の差込口とが接続された後は照明は不要となるので、充電コネクタに付設されたスイッチをＯＦＦすることで照明灯を消灯状態にすることができる。ところが、充電用のパワー接続プラグを車両のパワーソケットに接続した後の充電コネクタを携帯電話機へ差し込む前の段階では、差込操作を直ちに行うか否かにかかわらず照明灯は点灯状態のままである。従って、直ちに差込操作を行わない場合は、照明灯は点灯したままであるので、省電力化の考慮がなされていない。
【０００７】
なお、パワー接続プラグを車両のパワーソケットに接続した状態ではスイッチをＯＦＦにし、充電コネクタを携帯電話機の差込口に差し込む段階でスイッチをＯＮにすれば、差し込みに必要なときだけ照明されて省電力化を実現することはできる。ところが、低照度な環境下でスイッチを操作しながら充電コネクタの差込操作を行うことは、携帯電話機の充電時における使い勝手が極めてよくない。
【０００８】
この発明は、上述の事情に鑑みてなされたもので、簡単な操作で省電力化を実現させながら、必要なときだけ充電コネクタと移動機の差込口とを適正に照明できる照明部を備えた照明機能付き充電アダプタ、及び照明機能付き充電アダプタの接続方法を提供することを目的としている。
【課題を解決するための手段】
【０００９】
上記目的を達成するために、この発明の第１の構成は、照明機能を備え、電子機器を充電するための照明機能付き充電アダプタに係り、ＯＮ／ＯＦＦ動作を行うスイッチと、該スイッチのＯＮ／ＯＦＦ動作に連動して点灯／消灯を行う照明部とを搭載したことを特徴としている。
【００１０】
この発明の第２の構成は、照明機能を備え、電子機器を充電するための照明機能付き充電アダプタの接続方法に係り、スイッチがＯＮ／ＯＦＦ動作を行うステップと、照明部が、前記スイッチのＯＮ／ＯＦＦ動作に連動して点灯／消灯を行うステップとを有してなることを特徴としている。
【発明の効果】
【００１１】
この発明の構成によれば、ボタンを押下したときにＯＮとなり押下解除によりＯＦＦに復帰するプッシュスイッチと、そのプッシュスイッチがＯＮのときに点灯する照明部とが充電アダプタに搭載されている。これにより、充電アダプタの差込部分が低照度の環境下にあるときは、プッシュスイッチを押下して照明部を点灯させることにより、目視によって容易に充電アダプタの差込操作を行うことができる。従って、夕暮れや夜間等の環境下でも電子機器（移動機）の差込口が見え易くなるので、移動機の充電時におけるコネクタ破損を少なくすることができる。また、充電アダプタの差込操作が終了した後は、プッシュスイッチから指を離してそのそのプッシュスイッチをＯＦＦにさせれば、自動的に照明部が消灯するので、省電力化を図ることができる。
【００１２】
この発明の別の構成によれば、充電アダプタは、ホール素子と照度センサとスイッチと照明部とを搭載している。これにより、充電アダプタを電子機器（移動機）に挿入しようとするときに、ホール素子が移動機に搭載された磁石又は強磁性体の磁場を検出し、かつ、照度センサが充電アダプタの低照度な環境を検出すると、スイッチがＯＮとなって自動的に照明部を点灯させる。従って、低照度な環境下では自動的に充電アダプタの近傍が照明させるので、極めて使い勝手のよい充電アダプタを実現することができる。また、充電アダプタが移動機に接続された後は、その充電アダプタと移動機との接触圧力によってマイクロスイッチがＯＦＦするので、自動的に照明部を消灯させることができるので、省電力化を図ることもできる。
【図面の簡単な説明】
【００１３】
【図１】この発明の実施形態１に係る照明機能付き充電アダプタのコネクタ部分を移動機の差込口へ挿入する状態を示す斜視図である。
【図２】図１に示す充電アダプタの内部構成を示すブロック図である。
【図３】図２に示す充電アダプタにおけるプッシュスイッチのＯＮ／ＯＦＦ動作の流れを示すフローチャートである。
【図４】この発明の実施形態２に係る充電アダプタ及び移動機の内部構成を示すブロック図である。
【図５】図４に示す充電アダプタの動作の流れを示すフローチャートである。
【発明を実施するための形態】
【００１４】
この発明の第１の実施形態として、ボタンの押下によりＯＮとなり、押下解除によりＯＦＦに復帰するプッシュスイッチと、プッシュスイッチのＯＮ／ＯＦＦ動作に連動して点灯／消灯を行う照明部とを搭載することで、この発明の照明機能付き充電アダプタを実現した。
また、この発明の第１の実施形態として、電子機器に搭載された磁石又は強磁性体の磁場を検出する磁気センサと、電子機器の環境下の照度を検出する照度センサと、磁気センサが検出した磁場のレベルと照度センサが検出した照度のレベルとに基づいてＯＮ／ＯＦＦ動作を行うスイッチと、スイッチのＯＮ／ＯＦＦ動作に連動して点灯／消灯を行う照明部とを搭載することで、この発明の照明機能付き充電アダプタを実現した。
【００１５】
この発明の第３の実施形態として、照明機能付き充電アダプタの一端のプラグをＡＣコンセントに接続する第１のステップと、照明機能付き充電アダプタに搭載されたプッシュスイッチを押下してＯＮにし、その照明機能付き充電アダプタに搭載された照明部を点灯させる第２のステップと、照明部の点灯による照度の環境下で、照明機能付き充電アダプタのコネクタ部を電子機器の差込口へ挿入する第３のステップと、コネクタ部が差込口へ挿入された後に、プッシュスイッチを押下解除してＯＦＦに復帰させ、照明部を消灯させる第４のステップとを有することで、この発明の照明機能付き充電アダプタの接続方法を実現した。
この発明の第４の実施形態として、照明機能付き充電アダプタに搭載された磁気センサが、電子機器に搭載された磁石又は強磁性体の磁場を検出する第１のステップと、照明機能付き充電アダプタに搭載された照度センサが、電子機器の環境下の照度を検出する第２のステップと、照明機能付き充電アダプタに搭載されたスイッチが、磁気センサの検出した磁場のレベルと照度センサの検出した照度のレベルとに基づいてＯＮ／ＯＦＦ動作を行う第３のステップと、照明機能付き充電アダプタに搭載された照明部が、スイッチのＯＮ／ＯＦＦ動作に連動して点灯／消灯を行う第４のステップとを有することで、この発明の照明機能付き充電アダプタの接続方法を実現した。
【００１６】
この発明の実施形態によれば、照明機能付き充電アダプタを移動機の差込口に挿入するときに、必要に応じて充電アダプタに搭載されたスイッチを作動させて照明部を点灯させることにより、必要なときだけ移動機の差込口の付近を照明するように構成されている。このように、充電アダプタに照明部を実装することで低照度な環境下でコネクタ部の差込操作を行う場合でも、そのコネクタ部に実装された照明部の照明機能により移動機の差込口が見やすくなり、差込口への誤挿入を防止することができる。これによって、低照度な環境下で充電アダプタを差し込んで移動機への充電を行う際に、移動機の差込口がわかりづらく、正しく挿入できないためにコネクタ部が破損してしまうとういう事態を回避することができる。
【００１７】
以下、図面を参照しながら、この発明の照明機能付き充電アダプタについて幾つかの実施形態を詳細に説明する。
【実施形態１】
【００１８】
図１は、この発明の実施形態１に係る照明機能付き充電アダプタのコネクタ部分を移動機の差込口へ挿入する状態を示す斜視図である。図１に示すように、充電アダプタ１の表面側には照明部（照明灯）２とプッシュスイッチ３が搭載されている。この充電アダプタ１の挿入側にはコネクタ部４が突出されている。また、この充電アダプタ１は、充電器（図示せず）を内蔵していてケーブル５に接続されている。そして、ケーブル５の先端にはＡＣ１００ｖのコンセントに接続させるプラグ（図示せず）が接続されている。一方、携帯電話機等の移動機８はその側面に差込口９が設けられていて、充電アダプタ１のコネクタ部４が差込口９に差し込まれるように構成されている。
【００１９】
このような構成において、例えば、夕方や夜間等の低照度な環境下で充電アダプタ１のコネクタ部４を移動機８の差込口９に差込んで充電を行う際には、まず、充電アダプタ１のケーブル５の先端にあるプラグ（図示せず）をＡＣ１００ｖのコンセント（図示せず）に接続する。そして、充電アダプタ１を手で持ちながら、その充電アダプタ１に搭載されたプッシュスイッチ３を例えば親指等で押下し続ける。すると、プッシュスイッチ３が押下されている間は照明部２が継続的に点灯しているので、このときに移動機８の差込口９の近傍を照明させながら充電アダプタ１のコネクタ部４をその差込口９に挿入する。
【００２０】
これによって、目視で確認しながら充電アダプタ１のコネクタ部４を移動機８の差込口９に確実に差し込んで充電を行うことができる。そして、コネクタ部４が移動機８の差込口９に差し込まれた後は、プッシュスイッチ３から親指等を離して照明部２を消灯させると共に充電アダプタ１から手を離す。すなわち、充電アダプタ１のコネクタ部４を移動機８の差込口９へ差し込むときだけ、親指等でプッシュスイッチ３を押下しながらその手で差込操作を行い、差込操作が完了した後は充電アダプタ１から手を離すという自然の操作を行う。これによって、差込操作時のみ照明部２が移動機８の差込口９を照明し、差込み終了後は照明部２は消灯するので、無駄な電力を消費するおそれはない。
【００２１】
図２は、図１に示す充電アダプタの内部構成を示すブロック図である。図２に示すように、充電アダプタ１は、移動機８の差込口９を照明するための照明部２と、ボタンを押下したときにＯＮとなりボタンから手を離すとＯＦＦに復帰するプッシュスイッチ３と、照明部２へ電力を供給する照明用電源６と、図示しないＡＣ１００ｖのコンセントからＡＣ電源を入力してＤＣ電源に変換するＡＣ／ＤＣ変換部７と、ＡＣ／ＤＣ変換部７からＤＣ電源を入力して移動機８の差込口９に接続するコネクタ部４とを備えている。
【００２２】
次に、図２に示す充電アダプタ１の動作について説明する。図２に示すような構成の充電アダプタ１のプラグ（図示せず）をＡＣ１００ｖのコンセントに接続すると、ＡＣ／ＤＣ変換部７によってＡＣ１００ｖの交流電圧は例えばＤＣ１２ｖの直流電圧に変換される。そして、このＤＣ１２ｖの直流電圧はコネクタ部４に供給されると共に照明用電源部６に供給される。照明用電源部６は、照明部２の定格電圧に合わせて、例えば、ＤＣ１２ｖの直流電圧のまま、又はＤＣ６ｖ等の直流電圧に電圧変換してプッシュスイッチ３へ供給する。
【００２３】
ここで、夕暮れや夜間等の低照度な環境下で移動機８の差込口９（図１参照）が見え難いときは、充電用アダプタ１に実装されているプッシュスイッチ３を親指等で押下すると、プッシュスイッチ２がＯＮ状態となって照明用電源部６から照明部２へ例えばＤＣ６ｖの電源が供給されて照明部２が点灯する。
【００２４】
これによって、図１に示すように、照明部２が移動機８の差込口９及び充電アダプタ１のコネクタ部４を照明するので、ユーザは目視で確認しながら充電アダプタ１のコネクタ部４を移動機８の差込口９へ正確に挿入することができる。そして、充電アダプタ１のコネクタ部４が移動機８の差込口９へ挿入された後は、親指をプッシュスイッチ３から離せばプッシュスイッチ３はＯＦＦされるので、照明部２は消灯される。一方、充電器を構成するＡＣ／ＤＣ変換部７からコネクタ部４へ供給された例えばＤＣ１２ｖの電源は差込口９を介して移動機８へ供給されるので、充電アダプタ１によって移動機８を継続的に充電することができる。
【００２５】
図３は、図２に示す充電アダプタ１におけるプッシュスイッチ３のＯＮ／ＯＦＦ動作の流れを示すフローチャートである。図３に示すように、プッシュスイッチ３のＯＮ／ＯＦＦ状態を判定し（ステップＳ１）、プッシュスイッチ３がＯＮされていれば照明部２は点灯し（ステップＳ２）、プッシュスイッチ３がＯＦＦされていれば照明部２は消灯する（ステップＳ３）。これによって、充電アダプタ１の差込操作に必要なときだけ照明部２が点灯するので、充電アダプタ１の差込操作時において省電力化を図ることができる。
【実施形態２】
【００２６】
図４は、本発明の実施形態２に係る充電アダプタ及び移動機の内部構成を示すブロック図である。まず、充電アダプタ及び移動機の構成について説明する。図４に示すように、移動機２１は、永久磁石又は電磁石等の磁石２２と、充電用の電源を受けるためのコネクタ受け部となる差込口２３とを備えている。また、充電アダプタ１１は、移動機２１の差込口２３を照明するための照明部１２と、照明部１２への電源系統をＯＮ／ＯＦＦするスイッチ１３と、照明部１２へ電力を供給する照明用電源１６と、図示しないＡＣ１００ｖのコンセントからＡＣ電源を入力してＤＣ電源に変換するＡＣ／ＤＣ変換部１７と、ＡＣ／ＤＣ変換部１７からＤＣ電源を入力して移動機２１の差込口２３に接続するコネクタ部１４と、磁場に反応すると電気抵抗が変化するホール素子１８と、充電アダプタ１１及び移動機２１の差込口２３の周辺の照度を検知する照度センサ１９とを備えている。
【００２７】
次に、図４に示す充電アダプタ１１及び移動機２１の動作について説明する。まず、充電アダプタ１１のプラグ（図示せず）をＡＣ１００ｖのコンセントに接続すると、ＡＣ／ＤＣ変換部１７によってＡＣ１００ｖの交流電圧は例えばＤＣ１２ｖの直流電圧に変換される。そして、このＤＣ１２ｖの直流電圧はコネクタ部１４に供給されると共に照明用電源部１６に供給される。照明用電源部１６は、照明部２の定格電圧に合わせて、例えば、ＤＣ１２ｖの直流電圧のまま、又はＤＣ６ｖ等の直流電圧に電圧変換してスイッチ１３へ供給する。
【００２８】
次に、充電アダプタ１１によって移動機２１の充電を行うために、充電アダプタ１１を移動機２１に近づけると、充電アダプタ１１に実装された磁気センサの一つであるホール素子１８が、移動機２１の磁石２２の磁場を検知する。そして、充電アダプタ１１のホール素子１８が磁場を検知してホール素子１８の電気抵抗が変化（増加）したとき、照度センサ１９があらかじめ設定した照度以下であると判定すると、照度センサ１９からの信号がスイッチ１３に送出されて、そのスイッチ１３が自動的にＯＮする。
【００２９】
このようにしてスイッチ１３がＯＮ状態となると、ＡＣ／ＤＣ変換部１７から照明用電源部１６へ供給された例えばＤＣ６ｖの電源は、照明用電源部１６からスイッチ１３を介して照明部１２へ供給されて、その照明部１２が点灯する。これによって、照明部１２が移動機２１の差込口２３及び充電アダプタ１１のコネクタ部１４を照明するので、ユーザは目視で確認しながら充電アダプタ１１のコネクタ部１４を移動機２１の差込口２３へ挿入することができる。
【００３０】
なお、充電アダプタ１１のコネクタ部１４にマイクロスイッチ（図示せず）を取り付け、コネクタ部１４が移動機２１の差込口２３へ挿入されたときの接触圧力でそのマイクロスイッチがＯＦＦするように構成してもよい。これによって、充電アダプタ１１のコネクタ部１４が移動機２１の差込口２３へ挿入された後はマイクロスイッチがＯＦＦとなり、照明用電源部１６から照明部１２への電源回路を遮断される。従って、充電アダプタ１１のコネクタ部１４が移動機２１の差込口２３へ挿入されると照明部２は消灯されるので、省電力化を図ることができる。この状態において、ＡＣ／ＤＣ変換部７からコネクタ部４へ供給された例えばＤＣ１２ｖの電源は差込口２３から移動機８へ供給されるので、充電アダプタ１によって移動機８を継続的に充電することができる。
【００３１】
図５は、図４に示す充電アダプタ１１の動作の流れを示すフローチャートである。図５において、充電アダプタ１１のコネクタ部１４を移動機２１に近づけると（ステップＳ１１）、充電アダプタ１１のホール素子１８が磁場を検出したか否かが判定される（ステップＳ１２）。ここで、ホール素子１８が磁場を検出した場合は（ステップＳ１２でＹｅｓ）、移動機２１が充電アダプタ１１に近いことが検出される（ステップＳ１３）。
【００３２】
次に、照度センサ１９が、移動機２１はあらかじめ決められた照度以下の低照度環境下にあるか否かを判定する（ステップＳ１４）。ここで、移動機２１があらかじめ決められた照度以下である場合は（ステップＳ１４でＹｅｓ）、照度センサ１９が低照度を検出して、スイッチ１３をＯＮにする信号を送出する。（ステップＳ１５）。このようにしてスイッチ１３がＯＮすると、充電アダプタ１１の照明部１２が点灯して移動機２１の差込口２３の近傍を照明する（ステップＳ１６）。
【００３３】
なお、ステップＳ１２でホール素子１８が磁場を検出しない場合（ステップＳ１２でＮｏ）、及び移動機２１があらかじめ決められた照度以下でない場合は（ステップＳ１４でＮｏ）、充電アダプタ１１の照明部１２は消灯する（ステップＳ１７）。これによって、移動機２１が低照度な環境下にあるときのみ、充電アダプタ１１の照明部１２は自動的に移動機２１の差込口２３の近傍を照明することができる。
【００３４】
以上、この発明の実施形態を、図面を参照しながら詳述してきたが、この発明の具体的に構成は、これらの実施形態に限られるものではなく、この発明の趣旨を逸脱しない範囲の設計の変更等があってもそれらはこの発明に含まれる。例えば、この照明機能付き充電アダプタは、携帯電話機等の移動機に限定されることはなく、固定機を含めたあらゆる電子機器の電源の充電に利用することができる。また、充電アダプタに搭載する磁気センサはホール素子に限らず、磁界によって電気的特性が変化する素子であれば、如何なる素子を用いてもこの発明を実現することができる。さらに、磁気センサに限らず、光センサを利用した近接スイッチ等を用いてもこの発明を実現することができる。また、磁場を生じるものであれば、直接の磁石に限らず、間接的な強磁性体でも良い。
【産業上の利用可能性】
【００３５】
この発明の照明機能付き充電アダプタは、昼夜を分かたずメンテナンス等を行うさまざまな電子機器の充電時に有効に利用することができる。
【符号の説明】
【００３６】
１、１１  充電アダプタ
２、１２  照明部
３  プッシュスイッチ
４、１４  コネクタ部
５  ケーブル
６、１６  照明用電源
７、１７  ＡＣ／ＤＣ変換部
８、２１  移動機
９、２３  差込口
１３  スイッチ
１８  ホール素子
１９  照度センサ
２２  磁石
【図１】
2010283996.tif 000003
【図２】
2010283996.tif 000004
【図３】
2010283996.tif 000005
【図４】
2010283996.tif 000006
【図５】
2010283996.tif 000007